Podtech/llm-jp-corpus-v4-ja_patent huggingface dataset:
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
風路に室内送風機を設置し、室内へ調和空気を吹出す吹出し口に上下風向変更板及び左右風向変更板を設けた室内機と、冷凍サイクルの圧縮機を設置した室外機とを有する空気調和機において、
前記室内機に設けられ、人体を検知すると共に床温度を検知する可動式の赤外線センサと、
前記赤外線センサの人体検出結果から使用者が主に生活しているエリアを推定する生活エリア推論手段と、
前記生活エリア推論手段の推論結果に基づき、空調対象エリアを自動的に設定する空調対象エリア設定手段と、
前記空調対象エリア設定手段により設定された空調対象エリア内における床温度ムラを、前記赤外線センサの検知した床温度から算出する温度ムラ検知手段と、
を備え、
前記温度ムラ検知手段の検知結果により、前記空調対象エリア内の床温度の温度ムラを解消するように前記上下風向変更板、前記左右風向変更板、前記室内送風機の回転数、前記圧縮機の運転回転数の内、少なくともいずれか一つを制御することを特徴とする空気調和機。
【請求項２】
部屋を所定数のエリア区画に区分し、各エリア区画での人の存在検知毎にカウントを１ずつ増分する人体検知カウンターを設け、前記生活エリア推論手段は、前記人体検知カウンターのカウント値の大小により、前記各エリア区画を生活エリア、非生活エリア、中立エリアに分類し、前記生活エリアを前記空調対象エリアとする、もしくは前記非生活エリア以外のエリアを前記空調対象エリアとすることを特徴とする請求項１記載の空気調和機。
【請求項３】
部屋を所定数のエリア区画に区分し、各エリア区画での人の存在検知毎にカウントを１ずつ増分する人体検知カウンターを設け、前記生活エリア推論手段は、前記人体検知カウンターのカウント値の最大値に対する比率の大小により、前記各エリア区画を生活エリア、非生活エリア、中立エリアに分類し、前記生活エリアを前記空調対象エリアとする、もしくは前記非生活エリア以外のエリアを前記空調対象エリアとすることを特徴とする請求項１記載の空気調和機。
【請求項４】
前記人体検知カウンターがカウントする前記いずれか一つのエリア区画でのカウント値が最大カウント値を超えた場合、全エリアのカウント値を１／２化することを特徴とする請求項３記載の空気調和機。
【請求項５】
前記温度ムラ検知手段は、冷房運転時は前記空調対象エリア内のエリア区画の床温度の内、最低床温度から予め設定されたしきい値以上の床温度を検出したエリア区画を温度ムラエリアとし、暖房運転時は前記空調対象エリア内のエリア区画の床温度の内、最高床温度から予め設定されたしきい値以下の床温度を検出したエリア区画を温度ムラエリアとし、この温度ムラエリアの温度ムラを解消することを特徴とする請求項２または請求項３に記載の空気調和機。
【請求項６】
前記人体検知カウンターのカウント値を初期化する手段を備えたことを特徴とする請求項２または請求項３に記載の空気調和機。
【手続補正２】
【補正対象書類名】明細書
【補正対象項目名】０００５
【補正方法】変更
【補正の内容】
【０００５】
この発明に係る空気調和機は、風路に室内送風機を設置し、室内へ調和空気を吹出す吹出し口に上下風向変更板及び左右風向変更板を設けた室内機と、冷凍サイクルの圧縮機を設置した室外機とを有する空気調和機において、
室内機に設けられ、人体を検知すると共に床温度を検知する可動式の赤外線センサと、
赤外線センサの人体検出結果から使用者が主に生活しているエリアを推定する生活エリア推論手段と、
生活エリア推論手段の推論結果に基づき、空調対象エリアを自動的に設定する空調対象エリア設定手段と、
空調対象エリア設定手段により設定された空調対象エリア内における床温度ムラを、前記赤外線センサの検知した床温度から算出する温度ムラ検知手段と、
を備え、
温度ムラ検知手段の検知結果により、空調対象エリア内の床温度の温度ムラを解消するように上下風向変更板、左右風向変更板、室内送風機の回転数、圧縮機の運転回転数の内、少なくともいずれか一つを制御することを特徴とする。
【手続補正書】
【提出日】平成21年8月17日(2009.8.17)
【手続補正１】
【補正対象書類名】明細書
【補正対象項目名】００１９
【補正方法】変更
【補正の内容】
【００１９】
印刷物を持参してその扉４００の外部へと通過したいユーザは、その印刷物を照合装置３００によって読み取らせる。照合装置３００は、印刷物を読み取ってその印刷物に漉き込まれている被検出体の分布の特徴量を算出する。登録装置２００と照合装置３００とは無線又は有線で通信可能に接続されている。照合装置３００は、自身が算出した被検出体の分布の特徴量と、登録装置２００によって記憶されている被検出体の分布の特徴量とを照合し、その照合結果を出力する。このとき、照合装置３００は、それらの照合結果が所定の条件を満たし、その印刷物が外部の空間領域へ持ち出しが禁止されているものでない場合には、扉４００を開き、照合結果が所定の条件を満たさなかったり、その印刷物が外部の空間領域へ持ち出しが禁止されているものである場合には、扉４００を開かないようにする。上記の所定の条件とは、照合の対象となる各々の分布の特徴量の一致度（一致する特徴量の数や、特徴量の値）に応じて決められる。例えば、照合した特徴量の一致する数が８０％以上であればそれらは一致するとみなしたり、照合した特徴量の値が５％以内の差異といった条件である。また、扉４００としては開閉可能な扉に限らず、例えば出入り口の両端に設置されたパネルからなる、常時通過可能なゲートであってもよい。この場合、ゲートや空間領域外の図示せぬ警備室に非常ベルやサイレンを設置し、扉を閉じる代わりに、印刷物が持ち出されようとしていることを音や光によって報知すればよい。
【手続補正書】
【提出日】平成21年10月2日(2009.10.2)
【手続補正１】
【補正対象書類名】明細書
【補正対象項目名】００２４
【補正方法】削除
【補正の内容】
【手続補正２】
【補正対象書類名】明細書
【補正対象項目名】００２５
【補正方法】変更
【補正の内容】
【００２５】
請求項３記載の発明は、前記スリットは、中心部が欠落した十字形状であることを特徴とする。
【手続補正３】
【補正対象書類名】明細書
【補正対象項目名】００２６
【補正方法】変更
【補正の内容】
【００２６】
請求項４記載の発明は、前記スリットは、前記クロスパッドの最外周を貫いていることを特徴とする。
【手続補正４】
【補正対象書類名】特許請求の範囲
【補正対象項目名】全文
【補正方法】変更
【補正の内容】
【特許請求の範囲】
【請求項１】
一方の面に第１の遮光層と対向電極とが積層された第１の基板と、
前記第１の基板に対向するように配置され、前記第１の基板と対向する面の前記第１の遮光層によって遮光される領域内に納まるようにクロスパッドが形成された第２の基板と、
前記第１の基板と前記第２の基板との間に介在するとともに前記対向電極と前記クロスパッドとに接触し、前記対向電極と前記クロスパッドとを電気的に接続するクロスシール剤と、を備え、
前記クロスパッドはスリットが形成された第２の遮光層であり、前記スリットを介して前記第２の基板側から前記クロスシール剤が視認可能に形成されていることを特徴とする液晶表示パネル。
【請求項２】
前記クロスパッドは、主要部の平面形状が円形であり、
前記スリットは、中心部が欠落した放射形状であることを特徴とする請求項１に記載の液晶表示パネル。
【請求項３】
前記スリットは、中心部が欠落した十字形状であることを特徴とする請求項２に記載の液晶表示パネル。
【請求項４】
前記スリットは、前記クロスパッドの最外周を貫いていることを特徴とする請求項２または３に記載の液晶表示パネル。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
入力画像中の文字領域を判定し、文字領域座標情報並びに非文字領域座標情報を生成する文字領域判定手段と、
注目画素が文字・線画であるか否かを示す属性情報を入力し、当該属性情報と、前記非文字領域座標情報に基づいて手書き領域を判定し、手書き領域座標情報を生成する手書き領域判定手段と、
前記文字領域座標情報及び前記手書き領域座標情報に基づき、前記入力画像中の文字及び手書きされた部位を、周辺の色で塗りつぶす塗り潰し手段と、
該塗り潰し手段で塗り潰して得られた画像全体を階調画像用の符号化手段で符号化する第１の符号化手段と、
前記文字及び手書きされた部位を、文字線画用の符号化手段で符号化する第２の符号化手段と、
前記第１、第２の符号化手段で得られたそれぞれの符号化データを１つのデータファイルに含めて出力する出力手段と
を備えることを特徴とする画像処理装置。
【請求項２】
前記第２の符号化手段は、
各色に対応する２値画像を生成し、当該２値画像の色を示すパレットを生成する生成手段と、
前記生成された２値画像を可逆符号化する可逆符号化手段とを有し、
前記生成されたパレットと色との関係を示すテーブルと、前記可逆符号化手段で得られた符号化データとを符号化結果として出力する
ことを特徴とする請求項１に記載の画像処理装置。
【請求項３】
前記第２の符号化手段は、減色手段を備え、当該減色手段で減色した後の画像データを符号化することを特徴とする請求項１または２に記載の画像処理装置。
【請求項４】
前記第１の符号化手段は、前記塗り潰し手段で塗り潰して得られた画像全体を所定サイズに縮小する縮小手段を含み、当該縮小手段で縮小した画像を符号化することを特徴とする請求項１に記載の画像処理装置。
【請求項５】
前記属性判定手段は、入力画像において隣接する画素間の輝度差または濃度差が、所定の閾値よりも大きい場合に文字線画であることを示す属性情報を出力することを特徴とする請求項１に記載の画像処理装置。
【請求項６】
入力画像中の文字領域を判定し、文字領域座標情報並びに非文字領域座標情報を生成する文字領域判定工程と、
注目画素が文字・線画であるか否かを示す属性情報を入力し、当該属性情報と、前記非文字領域座標情報に基づいて手書き領域を判定し、手書き領域座標情報を生成する手書き領域判定工程と、
前記文字領域座標情報及び前記手書き領域座標情報に基づき、前記入力画像中の文字及び手書きされた部位を、周辺の色で塗りつぶす塗り潰し工程と、
該塗り潰し工程で塗り潰して得られた画像全体を階調画像用の符号化手段で符号化する第１の符号化工程と、
前記文字及び手書きされた部位を、文字線画用の符号化手段で符号化する第２の符号化工程と、
前記第１、第２の符号化工程で得られたそれぞれの符号化データを１つのデータファイルに含めて出力する出力工程と
を備えることを特徴とする画像処理方法。
【請求項７】
コンピュータに読み込ませ、実行させるコンピュータプログラムであって、前記コンピュータを、
入力画像中の文字領域を判定し、文字領域座標情報並びに非文字領域座標情報を生成する文字領域判定手段と、
注目画素が文字・線画であるか否かを示す属性情報を入力し、当該属性情報と、前記非文字領域座標情報に基づいて手書き領域を判定し、手書き領域座標情報を生成する手書き領域判定手段と、
前記文字領域座標情報及び前記手書き領域座標情報に基づき、前記入力画像中の文字及び手書きされた部位を、周辺の色で塗りつぶす塗り潰し手段と、
該塗り潰し工程で塗り潰して得られた画像全体を階調画像用の符号化手段で符号化する第１の符号化手段と、
前記文字及び手書きされた部位を、文字線画用の符号化手段で符号化する第２の符号化手段と、
前記第１、第２の符号化手段で得られたそれぞれの符号化データを１つのデータファイルに含めて出力する出力手段
として機能させることを特徴とするコンピュータプログラム。
【請求項８】
請求項７に記載のコンピュータプログラムを格納したことを特徴とするコンピュータ可読記憶媒体。
【手続補正２】
【補正対象書類名】明細書
【補正対象項目名】０００８
【補正方法】変更
【補正の内容】
【０００８】
この課題を解決するため、例えば本発明の画像処理装置は以下の構成を備える。すなわち、
入力画像中の文字領域を判定し、文字領域座標情報並びに非文字領域座標情報を生成する文字領域判定手段と、
注目画素が文字・線画であるか否かを示す属性情報を入力し、当該属性情報と、前記非文字領域座標情報に基づいて手書き領域を判定し、手書き領域座標情報を生成する手書き領域判定手段と、
前記文字領域座標情報及び前記手書き領域座標情報に基づき、前記入力画像中の文字及び手書きされた部位を、周辺の色で塗りつぶす塗り潰し手段と、
該塗り潰し手段で塗り潰して得られた画像全体を階調画像用の符号化手段で符号化する第１の符号化手段と、
前記文字及び手書きされた部位を、文字線画用の符号化手段で符号化する第２の符号化手段と、
前記第１、第２の符号化手段で得られたそれぞれの符号化データを１つのデータファイルに含めて出力する出力手段とを備える。
【手続補正書】
【提出日】平成20年1月28日(2008.1.28)
【手続補正１】
【補正対象書類名】明細書
【補正対象項目名】請求項４
【補正方法】変更
【補正の内容】
【請求項４】  被測定体の圧力を受ける結晶質のサファイアダイアフラムと、前記サファイアダイアフラムの円周方向に沿って積層しホイストーンブリッジ回路を構成する複数の感圧抵抗素子部と、複数の前記感圧抵抗素子部よりの圧力信号をそれぞれ増幅する複数の第１増幅部と、複数の前記感圧抵抗素子部よりの圧力信号をそれぞれ増幅し前記第１増幅部と増幅率の異なる複数の第２増幅部と、複数の前記第１増幅部と複数の前記第２増幅部よりの圧力信号を加算する加算処理部とを備え、前記サファイアダイアフラムの外側にかかる圧力を検出することを特徴とする半導体式圧力センサ。
【手続補正２】
【補正対象書類名】明細書
【補正対象項目名】００１４
【補正方法】変更
【補正の内容】
【００１４】
また、本発明の半導体式圧力センサは、被測定体の圧力を受ける結晶質のサファイアダイアフラムと、前記サファイアダイアフラムの円周方向に沿って積層しホイストーンブリッジ回路を構成する複数の感圧抵抗素子部と、複数の前記感圧抵抗素子部よりの圧力信号をそれぞれ増幅する複数の第１増幅部と、複数の前記感圧抵抗素子部よりの圧力信号をそれぞれ増幅し前記第１増幅部と増幅率の異なる複数の第２増幅部と、複数の前記第１増幅部と複数の前記第２増幅部よりの圧力信号を加算する加算処理部とを備え、前記サファイアダイアフラムの外側にかかる圧力を検出することとした。
【手続補正３】
【補正対象書類名】明細書
【補正対象項目名】００２４
【補正方法】変更
【補正の内容】
【００２４】
図２（Ａ）に示すように、サファイアダイアフラム１３には、４個の感圧抵抗素子部２０Ａ、２０Ｂ、２０Ｃ、２０Ｄが円周１３Ａの方向に等間隔で積層され、感圧抵抗素子部２０Ａ、２０Ｂ、２０Ｃ、２０Ｄは、それぞれ接続部２１Ａ、２１Ｂ、２１Ｃ、２１Ｄに接続している。円周１３Ａは、サファイアダイアフラム１３にかかる圧力の応力が大の所であり、この近辺で効果的に圧力の検出を行うことができる。
【手続補正４】
【補正対象書類名】明細書
【補正対象項目名】００３０
【補正方法】変更
【補正の内容】
【００３０】
加算処理部２５は、増幅器２３Ａ、２３Ｂ、２３Ｃ、２３Ｄよりの増幅した圧力信号を加算し半導体式圧力センサ１０（図１参照）の圧力検出信号として出力する。増幅器２３Ａ、２３Ｂ、２３Ｃ、２３Ｄのいずれかに増幅度のばらつきがあっても圧力検出信号の検出精度への影響は少なく、同様に、感圧抵抗素子部２０Ａ、２０Ｂ、２０Ｃ、２０Ｄのいずれかにばらつきがあっても圧力検出信号の検出精度への影響は少ない。
【手続補正５】
【補正対象書類名】明細書
【補正対象項目名】００３６
【補正方法】変更
【補正の内容】
【００３６】
なお、上記実施例では半導体式圧力センサ１０は、４個の感圧抵抗素子部２０Ａ、２０Ｂ、２０Ｃ、２０Ｄを設ける例につき説明したが、これに限定することなく複数の感圧抵抗素子部２０を設け、圧力信号を増幅加算し圧力検出信号を出力することができ、加算処理部２５では、入力する複数の圧力信号の内、互いに近似した圧力信号群の圧力信号値に対し予め定めた値以上異なる圧力信号は除外することができる。
【手続補正６】
【補正対象書類名】明細書
【補正対象項目名】００４０
【補正方法】変更
【補正の内容】
【００４０】
また、本発明の半導体式圧力センサは、被測定体の圧力を受ける結晶質のサファイアダイアフラムと、前記サファイアダイアフラムの円周方向に沿って積層しホイストーンブリッジ回路を構成する複数の感圧抵抗素子部と、複数の前記感圧抵抗素子部よりの圧力信号をそれぞれ増幅する複数の第１増幅部と、複数の前記感圧抵抗素子部よりの圧力信号をそれぞれ増幅し前記第１増幅部と増幅率の異なる複数の第２増幅部と、複数の前記第１増幅部と複数の前記第２増幅部よりの圧力信号を加算する加算処理部とを備え、前記サファイアダイアフラムの外側にかかる圧力を検出することとしたため、微小圧力計測分野においても圧力検出の精度が低下することなく高感度で定格容量の異なる圧力をそれぞれ検出することができる。
【手続補正書】
【提出日】平成21年1月29日(2009.1.29)
【手続補正１】
【補正対象書類名】明細書
【補正対象項目名】００３９
【補正方法】変更
【補正の内容】
【００３９】
《比較例２》
エマルション１００質量部と、顔料として０．１質量部と、骨材として４５質量部とを混合、攪拌し、ついで、ポルトランドセメント（宇部三菱セメント（株）製の普通ポルトランドセメント、平均粒径１５μｍ）２５質量部を加えて混合、攪拌することにより、比較用着色防水材を得た。なお、エマルション、顔料、および骨材には、実施例１と同じものを用いた。
【手続補正書】
【提出日】平成20年12月25日(2008.12.25)
【手続補正１】
【補正対象書類名】特許請求の範囲
【補正対象項目名】請求項４
【補正方法】変更
【補正の内容】
【請求項４】
前記含水エタノール抽出物より極性部分を除去したものが、次に示す工程１〜３の内、工程２で得られるもの又は工程３でえられるものであることを特徴とする、請求項３に記載のＰＡＩ−１阻害剤。
（工程１）ショウガ科の植物の植物体を５０〜８０％エタノール水溶液で抽出し、濃縮する。
（工程２）工程１の成果物をノルマルヘキサンと水とで液液抽出を行い、ノルマルヘキサン相を得る。
（工程３）工程２の水相に酢酸エチルを加え、所望により水を加え、液液抽出を行い、酢酸エチル相を得る。
【手続補正２】
【補正対象書類名】明細書
【補正対象項目名】０００６
【補正方法】変更
【補正の内容】
【０００６】
この様な状況に鑑み、本発明者らは、プラスミノゲーンアクチベータインヒビター（ＰＡＩ−１）を抑制する作用を有する植物成分を求めて、鋭意研究努力を重ねた結果、ショウガ科の植物のエキスにその様な作用が認められることを見いだし、発明を完成させるに至った。即ち、本発明は、以下に示すとおりである。
（１）ショウガ科の植物のエキスからなるプラスミノーゲンアクチベーターインヒビターＩ（ＰＡＩ−１）阻害剤。
（２）前記ショウガ科の植物が、ガジュツ（Curcuma zedoaria ROSC.）、ウコン（Curcuma longa L.）又はショウキョウ（Zingiber officinale ROSC.）である、（１）に記載のＰＡＩ−１阻害剤。
（３）前記ショウガ科の植物のエキスは、含水エタノール抽出物より、極性部分を除去したものであることを特徴とする、（１）又は（２）に記載のＰＡＩ−１阻害剤。
（４）前記含水エタノール抽出物より極性部分を除去したものが、次に示す工程１〜３の内、工程２で得られるもの又は工程３でえられるものであることを特徴とする、（３）に記載のＰＡＩ−１阻害剤。
（工程１）ショウガ科の植物の植物体を５０〜８０％エタノール水溶液で抽出し、濃縮す
る。
（工程２）工程１の成果物をノルマルヘキサンと水とで液液抽出を行い、ノルマルヘキサン相を得る。
（工程３）工程２の水相に酢酸エチルを加え、所望により水を加え、液液抽出を行い、酢酸エチル相を得る。
（５）ＰＡＩ−１阻害作用の有効成分として、ゲルマクロン、クルジオン、クルクミン又は６−ギンゲロール含有することを特徴とする、（１）〜（４）何れかに記載のＰＡＩ−１阻害剤。
（６）（１）〜（５）何れかに記載のＰＡＩ−１阻害剤を配合してなる食品組成物。
（７）血栓の形成予防及び／又は血栓による血流障害の改善の為の食品であることを特徴とする、（６）に記載の食品組成物。
【手続補正書】
【提出日】平成21年8月24日(2009.8.24)
【手続補正１】
【補正対象書類名】明細書
【補正対象項目名】００９０
【補正方法】変更
【補正の内容】
【００９０】
クラスターのＴＥＭ観察：
上記の方法で調製したＭｇＯ上のＰｔの様子をＴＥＭにて観察した。ＨｉｔａｃｈｉのＨＤ−２０００型電子顕微鏡を用い、加速電圧２００ｋＶでＳＴＥＭ像を観察した。比較例のＳＴＥＭ像を図２に示す。この像中には、白金４原子クラスターの構造から推定されるスポット径０．６ｎｍのＰｔ粒子が確認でき、この手法で白金４原子クラスターを酸化物担体上に担持できる事が示された。
【手続補正２】
【補正対象書類名】明細書
【補正対象項目名】００９１
【補正方法】変更
【補正の内容】
【００９１】
実施例１
［Ｐｔ４（ＣＨ３ＣＯＯ）４｛ｏ−Ｃ６Ｈ４（ＣＯＯ）（ＣＯＯＨ）｝４］の合成：
この化合物の合成は以下のスキームで行った。
【手続補正３】
【補正対象書類名】明細書
【補正対象項目名】０１００
【補正方法】変更
【補正の内容】
【０１００】
クラスターのＴＥＭ観察：
上記の方法で調製したＭｇＯ上のＰｔの様子をＴＥＭにて観察した。ＨｉｔａｃｈｉのＨＤ−２０００型電子顕微鏡を用い、加速電圧２００ｋＶでＳＴＥＭ像を観察した。実施例１のＳＴＥＭ像を図３に示す。この像中には、白金４原子クラスターの構造から推定されるスポット径０．６ｎｍのＰｔ粒子が確認でき、この手法で白金４原子クラスターを酸化物担体上に担持できる事が示された。
【手続補正４】
【補正対象書類名】明細書
【補正対象項目名】０１１６
【補正方法】変更
【補正の内容】
【０１１６】
クラスターのＴＥＭ観察：
上記の方法で調製したＭｇＯ上のＰｔの様子をＴＥＭにて観察した。ＨｉｔａｃｈｉのＨＤ−２０００型電子顕微鏡を用い、加速電圧２００ｋＶでＳＴＥＭ像を観察した。実施例２のＳＴＥＭ像を図４に示す。この像中には、白金８原子クラスターの構造から推定されるスポット径０．９ｎｍのＰｔ粒子が確認でき、この手法で白金８原子クラスターを酸化物担体上に担持できる事が示された。
【手続補正書】
【提出日】平成21年3月2日(2009.3.2)
【手続補正１】
【補正対象書類名】明細書
【補正対象項目名】００５６
【補正方法】変更
【補正の内容】
【００５６】
実施例２
N-エチル-N-(2-アセトキシエチル)-4-(クロロメチル)ベンズアミドの保護化
撹拌器、還流冷却管、滴下ロートを備えた200 mL三頚フラスコにN-エチル-N-(2-ヒドロキシエチル)-4-(クロロメチル)ベンズアミド4.83 g (20 mmol)、トリエチルアミン3.04 g(30 mmol)、4-ジメチルアミノピリジン171 mg (1.4 mmol)およびトルエン64 mLを加え、撹拌下に塩化アセチル2.35 g (30 mmol)のトルエン6 mL溶液を、室温で20分間かけて滴下した。更に室温で2時間撹拌した後、反応液を濾過し、残渣をトルエン30 mLで洗浄した。合わせた濾液を2N塩酸水溶液50 mL、飽和炭酸水素ナトリウム水溶液50 mL、水100 mL、飽和食塩水50 mLで順次洗浄した後、分液して無水硫酸ナトリウムで乾燥した。溶媒留去して得られた粗生成物を、シリカゲルカラムクロマトグラフィー(溶出溶媒：CHCl3 / MeOH = 50 / 1)に付して精製し、標記化合物5.22 g (収率92%)を淡黄色油状物として得た。
1H NMR (500 MHz, CDCl3) δ(ppm)：1.12-1.26 (3 H, m, CH3), 2.08 (3 H, s, C(O)CH3), 3.33-3.53 (2 H, m, CH2CH3), 3.60-3.74 (2 H, m, CH2CH2O), 4.11-4.36 (2 H, m, CH2CH2O), 4.60 (2 H, s, CH2Cl), 7.37 (2 H, d, J = 8.0 Hz, ArH), 7.43 (2 H, d, J = 8.0 Hz, ArH).
【手続補正書】
【提出日】平成21年1月16日(2009.1.16)
【手続補正１】
【補正対象書類名】明細書
【補正対象項目名】０００４
【補正方法】変更
【補正の内容】
【０００４】
本発明は、保湿成分であるヒアルロン酸などの保湿成分を油性成分に加えてなる従来の保湿剤の欠点である、手指のベトつき感や手指の接触による食器などへの付着という使用上の問題点を解消するとともに、容器に収容されたときにプッシュタイプディスペンサーによって１回のプッシュで適量を排出することができるハンド用保湿液、及び該ハンド用保湿液を容器に収容してなるハンド用保湿液製品を提供することを目的とするものである。
【手続補正書】
【提出日】平成21年3月9日(2009.3.9)
【手続補正１】
【補正対象書類名】明細書
【補正対象項目名】００１２
【補正方法】変更
【補正の内容】
【００１２】
該化合物（1）は、糖尿病モデル動物で血管あるいは気管平滑筋の機能異常を改善した事より、糖尿病性血管障害および呼吸障害の予防および／または治療薬として有用である。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
印刷に用いられる媒体にドットを形成可能なノズルを有する印刷ヘッドと、
Ｍ（Ｍ≧２）値の階調数の画素値を有する画像データを取得する画像データ取得手段と、
前記ノズルの特性を示すノズル特性情報を記憶するノズル特性情報記憶手段と、
前記ノズル特性情報に基づき、前記印刷ヘッドにおけるバンディングの発生に関与するノズルを特定するノズル特定手段と、
前記画像データにおける、前記バンディングの発生に関与するノズルの形成するドットによって構成されるラインであるバンディング発生ラインと、前記バンディングの発生に関与するノズルの近傍のノズルの形成するドットによって構成される他のラインとに対応するデータに対して、前記バンディングによる印刷画質の劣化を低減する処理であるバンディング回避処理を行うバンディング回避処理手段と、
前記バンディング回避処理手段における前記バンディング回避処理の処理範囲を、前記画像データにおける、前記バンディング発生ラインと、隣り合うラインの示す濃度値の濃度差が所定数値範囲内の前記他のラインとを含む範囲となるように、前記バンディング回避処理手段を制御するバンディング回避処理制御手段と、
前記バンディング回避処理の施された画像データに基づき、前記印刷ヘッドによって画像を前記媒体に印刷する印刷手段と、を備えることを特徴とする印刷装置。
【請求項２】
前記バンディング回避処理の施された画像データに基づき、当該画像データに対する前記ノズルのドット形成内容に関する情報を含む印刷用データを生成する印刷用データ生成手段を備え、
前記印刷手段は、前記印刷用データに基づき、前記印刷ヘッドによって画像を前記媒体に印刷することを特徴とする請求項１記載の印刷装置。
【請求項３】
前記バンディング回避処理制御手段は、前記濃度値が所定濃度値以上となる前記ラインのデータに対してのみ前記バンディング回避処理を行うように、前記バンディング回避処理手段を制御することを特徴とする請求項１又は請求項２記載の印刷装置。
【請求項４】
前記バンディング回避処理制御手段は、前記濃度値が中間調の濃度範囲に含まれる前記ラインのデータに対してのみ前記バンディング回避処理を行うように、前記バンディング回避処理手段を制御することを特徴とする請求項１又は請求項２記載の印刷装置。
【請求項５】
前記画像データから周波数情報を抽出する周波数情報抽出手段を備え、
前記バンディング回避処理制御手段は、前記周波数情報抽出手段で抽出した周波数情報に基づき、前記バンディング回避処理の処理範囲を決定することを特徴とする請求項１乃至請求項４のいずれか１項に記載の印刷装置。
【請求項６】
前記画像データからエッジ情報を抽出するエッジ情報抽出手段を備え、
前記バンディング回避処理制御手段は、前記エッジ情報抽出手段で抽出したエッジ情報に基づき、前記バンディング回避処理の処理範囲を決定することを特徴とする請求項１乃至請求項５のいずれか１項に記載の印刷装置。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
用紙を搬送経路に沿って搬送する電子写真装置の用紙搬送装置において、
前記搬送経路に設けられ、用紙が通過するローラ対と、
前記ローラ対の上流側に設けられ、前記搬送経路内の位置と前記搬送経路外の位置とに移動可能で、前記搬送経路内の位置に移動して前記搬送経路の用紙の有無を検出する用紙検知手段と、
用紙の紙詰まりにより搬送動作が停止した後に、前記用紙検知手段を前記搬送経路内に移動させ、前記用紙検知手段が用紙を検知していない場合に、前記ローラ対へ用紙が巻き付いたと判断する制御手段とを有することを特徴とする電子写真装置の用紙搬送装置。
【請求項２】
前記制御手段は、前記用紙検知手段が用紙を検知した場合、ユーザによる紙詰まり処理のために前記用紙検知手段を前記搬送径路外に移動させることを特徴とする請求項１記載の用紙搬送装置。
【請求項３】
前記制御手段は、前記電子写真装置の電源が投入されたことに応じて、前記用紙検知手段を前記搬送径路内に移動させ、前記用紙検知手段に用紙の有無を検知させることを特徴とする請求項１記載の用紙搬送装置。
【請求項４】
前記ローラ対は、用紙に転写された未定着トナーを用紙に熱定着させる定着ローラ対であることを特徴とする請求項１乃至３のいずれか１項に記載の用紙搬送装置。
【請求項５】
前記ローラ対は、トナーを用紙に転送する感光体ドラムと転写ローラの対であることを特徴とする請求項１乃至３のいずれか１項に記載の用紙搬送装置。
【手続補正２】
【補正対象書類名】明細書
【補正対象項目名】０００８
【補正方法】変更
【補正の内容】
【０００８】
上記目的を達成するために、請求項１記載の電子写真装置の用紙搬送装置は、用紙を搬送経路に沿って搬送する電子写真装置の用紙搬送装置において、前記搬送経路に設けられ、用紙が通過するローラ対と、前記ローラ対の上流側に設けられ、前記搬送経路内の位置と前記搬送経路外の位置とに移動可能で、前記搬送経路内の位置に移動して前記搬送経路の用紙の有無を検出する用紙検知手段と、用紙の紙詰まりにより搬送動作が停止した後に、前記用紙検知手段を前記搬送経路内に移動させ、前記用紙検知手段が用紙を検知していない場合に、前記ローラ対へ用紙が巻き付いたと判断する制御手段とを有することを特徴とする。
【手続補正３】
【補正対象書類名】明細書
【補正対象項目名】０００９
【補正方法】変更
【補正の内容】
【０００９】
本発明によれば、搬送経路上に設けられる用紙の紙詰まり検知用のセンサを不要とすることができ、その結果、用紙を安定的に搬送すると共に紙詰まりを防止することができるのに加えて、センサ故障や寿命への影響も防止することができる。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
液体を吐出する吐出口と連通する流路を有する液体吐出ヘッドの製造方法において、
溶解可能な材料からなる前記流路のパターンを基板上に設ける工程と、
前記パターン上に、ポリシラザンまたはポリシラザンの誘導体からなる材料を塗布し、前記流路の壁となる層を形成する工程と、
前記層に吐出口を設ける工程と、
前記パターンを溶解して除去して前記流路を形成する工程と、
を有する液体吐出ヘッドの製造方法。
【請求項２】
前記溶解可能な材料が、フォスフォシリケートグラス、ボロンフォスフォシリケートグラスまたは酸化シリコンである請求項１に記載の液体吐出ヘッドの製造方法。
【請求項３】
前記溶解可能な材料がＡｌを主成分とする材料である請求項１に記載の液体吐出ヘッドの製造方法。
【請求項４】
前記ポリシラザンまたはポリシラザンの誘導体からなる材料がフェニルシラザンである請求項１ないし３のいずれか１項に記載の液体吐出ヘッドの製造方法。
【請求項５】
前記溶解可能な材料が、Ａｌを主成分とする材料、フォスフォシリケートグラス、ボロンフォスフォシリケートグラスまたは酸化シリコンであり、
前記ポリシラザンまたはポリシラザン誘導体からなる材料を前記パターン上に塗布した後、前記ポリシラザンまたはポリシラザン誘導体からなる材料を２００℃以上４００℃以下の温度で焼結して、前記流路の壁となる層を形成する請求項１に記載の液体吐出ヘッドの製造方法。
【請求項６】
メタクリル酸メチルとメタクリル酸とからなる共重合体を含む前記溶解可能な材料を前記基板上に設けた後に、
前記溶解可能な材料を加熱することにより、前記基板上にメタクリル酸メチルとメタクリル酸とから形成される熱架橋膜を形成する工程と、
前記熱架橋膜をパターニングすることにより前記熱架橋膜からなる前記パターンを形成する工程と、
前記ポリシラザンまたはポリシラザン誘導体からなる材料を前記パターン上に塗布した後、前記ポリシラザンまたはポリシラザン誘導体からなる材料を２００℃以上４００℃以下の温度で焼結して、前記流路の壁となる層を形成する工程と、
を有する請求項１に記載の液体吐出ヘッドの製造方法。
【請求項７】
前記ポリシラザンまたはポリシラザン誘導体からなる材料を２００℃以上４００℃以下の温度で焼結して、前記流路の壁となる層を形成した後に、
撥水層を形成するためのポリテトラフルオロエチレン系材料からなる膜を前記流路の壁となる層上に設ける工程と、
前記パターンが基板上に設けられている状態で、前記膜を３００℃以上４００℃以下の温度で焼結させることにより前記撥水層を形成する工程と、
前記撥水層が形成された前記流路の壁となる層に前記吐出口を設ける工程と、
前記吐出口が設けられた後に前記パターンを除去して前記流路を形成する工程と、
を有する請求項５または６に記載の液体吐出ヘッドの製造方法。
【手続補正２】
【補正対象書類名】明細書
【補正対象項目名】発明の名称
【補正方法】変更
【補正の内容】
【発明の名称】液体吐出ヘッドの製造方法
【手続補正３】
【補正対象書類名】明細書
【補正対象項目名】００１０
【補正方法】変更
【補正の内容】
【００１０】
本発明は、液体を吐出する吐出口と連通する流路を有する液体吐出ヘッドの製造方法において、
溶解可能な材料からなる前記流路のパターンを基板上に設ける工程と、
前記パターン上に、ポリシラザンまたはポリシラザンの誘導体からなる材料を塗布し、前記流路の壁となる層を形成する工程と、
前記層に吐出口を設ける工程と、
前記パターンを溶解して除去して前記流路を形成する工程と、
を有する液体吐出ヘッドの製造方法に関する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
画像処理システムであって、
前記画像処理システムの動作に関する異常の発生を検知する第１のセンサと、
前記異常に応じた処理をオペレータが実行した際に前記画像処理システムの状態変化を検知する第２のセンサと、
オペレータへ情報を提示する提示手段と、
前記提示手段に、前記各センサからの信号に基づいてあらかじめ設定されているガイダンスを出力する情報出力手段と
を備え、
前記情報出力手段は、
前記第１のセンサからの信号に基づいて異常が発生したことを決定し、前記異常の発生の通知を含む第１のガイダンスを出力し、
前記提示手段によって前記第１のガイダンスを提示した後に、前記第１のセンサあるいは前記第２のセンサからの信号が変化したことを検知した場合、変化したセンサと該センサの変化状態に応じてあらかじめ設定されているガイダンスを提示することを特徴とする画像処理システム。
【請求項２】
前記提示手段は、表示装置であり、
前記情報出力手段は、
前記第１のガイダンスの提示後、前記第１のセンサあるいは前記第２のセンサからの信号が変化したことを検知した場合、その検知した結果が各センサからの信号が正常な状態になったことを示した場合には、前記表示装置への出力を停止する
ことを特徴とする請求項１に記載の画像処理システム。
【請求項３】
前記第１のセンサは、ステープラの針有無を検知する針なしセンサを含み、
前記第２のセンサは、針カートリッジの有無を検知する針カートリッジ有無センサを含む
ことを特徴とする請求項１に記載の画像処理システム。
【請求項４】
前記第１のセンサは、ステープラの針有無を検知する針なしセンサを含み、
前記第２のセンサは、針カートリッジの有無を検知する針カートリッジ有無センサを含み、
前記情報出力手段は、
前記針カートリッジ有無センサからの信号が無を表していることを検知した場合、針なしの発生の通知を含むこの処理方法に関するオペレータへの前記第１のガイダンスを出力し、
前記針カートリッジ有無センサからの信号が、無から有になったことを検知した場合に、前記針なしセンサの信号に応じて異なるガイダンスを出力する
ことを特徴とする請求項１に記載の画像処理システム。
【請求項５】
前記第１のセンサは、ステープラの針の有無を検知する針なしセンサと、針が詰まったことを検知する針ジャム・センサを含み、
前記第２のセンサは、針カートリッジの有無を検知するセンサを含み、
前記情報出力手段は、
前記針カートリッジ有無センサからの信号が無を表していること、あるいは針ジャム・センサからの信号が針が詰まったことを表していることを検知した場合、針なし、あるいは針ジャムの発生の通知を含む前記第１のガイダンスを出力し、
前記針カートリッジ有無センサからの信号が、無から有になったことを検知した場合に、前記針なしセンサの信号に応じて異なるガイダンスを出力する
ことを特徴とする請求項１に記載の画像処理システム。
【請求項６】
前記第１のセンサは、シートのジャムを検知するためにシート搬送路上のシートの有無を検知するシート有無検知センサを含み、当該シート有無検知センサは、オペレータがジャム処理のためにドアを開けた状態でもジャムとなったシートの有無を出力可能であり、
前記情報出力手段は、
前記シート有無検知センサからの信号によりジャムの発生を検知した場合、当該ジャムの発生の通知を含む第１のガイダンスを出力し、
前記シート有無検知センサからの信号が、シートの有から無になったことを検知した場合に、ジャムしたシートが取り除かれたと判定して、その際の各センサからの信号に基づいて決定されるガイダンスを出力する
ことを特徴とする請求項１に記載の画像処理システム。
【手続補正書】
【提出日】平成20年12月24日(2008.12.24)
【手続補正１】
【補正対象書類名】明細書
【補正対象項目名】００４４
【補正方法】変更
【補正の内容】
【００４４】
図８は図２の８−８線断面図であり、リヤクッションユニット２３（図２参照）の下端部９７と第２リンク９８とを連結する第３連結部２５１は、下端部９７に形成した穴部２５２と、このこの穴部２５２に嵌合させた外輪２５３と、この外輪２５３に備える凹状の球面２５４に滑り自在に嵌合する凸状の球面２５６を備える内輪２５７と、この内輪２５７の内側に嵌合させた第１カラー２５８と、この第１カラー２５８の内側に嵌合させた第２カラー２６１と、この第２カラー２６１の端部及び後述するアーム部２６４のそれぞれの間に介在させた端部部材２５９と、第２リンク９８の一端部に設けたアーム部２６３、２６４のうちの一方のアーム部２６４に形成した軸挿通穴２６５に通すとともに第２カラー２６１の内側を貫通させ且つ他方のアーム部２６３に形成しためねじ２６６にねじ結合した中空のボルト状とした連結軸１０３とからなる。
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
ノズルからインクを吐出するのに利用される熱エネルギをインクに作用するための発熱部を有する基板と、前記ノズルに対応して設けられ、前記発熱部による熱エネルギの作用に伴う前記インクの発泡に応じて変位可能な可動弁を有する弁保持部材とを具えたインクジェット記録ヘッドにおいて、
前記基板は前記弁保持部材を取り付けるための台座を有し、
前記弁保持部材は、これに分布して配置された複数の穴であって、前記台座に取り付けられる底面とこれに対向する上面との間を貫通する当該複数の穴を有し、
前記弁保持部材は、前記台座と熱膨張率の等しい材料を前記上面から前記穴を通って前記台座に連結するよう付着させて形成した当該複数の接着部によって前記基板に固定されており、
前記複数の接着部の各々は前記複数の穴のいくつかを通って形成されていることを特徴とするインクジェット記録ヘッド。
【請求項２】
前記接着部は、フォトリソグラフィプロセスにより形成されてなることを特徴とする請求項１記載のインクジェット記録ヘッド。
【請求項３】
前記台座と前記接着部とが同一材料でなることを特徴とする請求項１または請求項２に記載のインクジェット記録ヘッド。
【請求項４】
前記ノズルが複数配列され、該複数のノズルが共通に連通してインクを供給するための液室を具えるとともに、
前記弁保持部材は前記液室に面して前記台座に取り付けられ、
前記弁保持部材の前記上面における前記接着部の前記ノズルの配列方向の寸法が、前記配列方向に直交する方向の寸法より小であることを特徴とする請求項１から請求項３のいずれかに記載のインクジェット記録ヘッド。
【請求項５】
ノズルからインクを吐出するのに利用される熱エネルギをインクに作用するための発熱部を有する基板と、前記ノズルに対応して設けられ、前記発熱部による熱エネルギの作用に伴う前記インクの発泡に応じて変位可能な可動弁を有する弁保持部材とを具えたインクジェット記録ヘッドの製造方法において、
前記基板に設けられた台座に、貫通穴を有する前記弁保持部材を配置する工程と、
前記弁保持部材の上面から前記穴を通って前記台座に連結する接着部を形成することで前記基板に前記弁保持部材を固定する工程と、
を具え、
前記弁保持部材はフォトリソグラフィプロセスを適用して前記基板に固定され、
前記接着部の各々は前記複数の穴のいくつかを通って形成されていることを特徴とするインクジェット記録ヘッドの製造方法。
【請求項６】
前記台座および前記接着部は感光性樹脂フィルムのラミネートおよびパターニングによって形成されていることを特徴とする請求項５に記載のインクジェット記録ヘッドの製造方法。
【手続補正２】
【補正対象書類名】明細書
【補正対象項目名】００１７
【補正方法】変更
【補正の内容】
【００１７】
そのために、本発明は、ノズルからインクを吐出するのに利用される熱エネルギをインクに作用するための発熱部を有する基板と、前記ノズルに対応して設けられ、前記発熱部による熱エネルギの作用に伴う前記インクの発泡に応じて変位可能な可動弁を有する弁保持部材とを具えたインクジェット記録ヘッドにおいて、
前記基板は前記弁保持部材を取り付けるための台座を有し、
前記弁保持部材は、これに分布して配置された複数の穴であって、前記台座に取り付けられる底面とこれに対向する上面との間を貫通する当該複数の穴を有し、
前記弁保持部材は、前記台座と熱膨張率の等しい材料を前記上面から前記穴を通って前記台座に連結するよう付着させて形成した当該複数の接着部によって前記基板に固定されており、
前記複数の接着部の各々は前記複数の穴のいくつかを通って形成されていることを特徴とする。
【手続補正３】
【補正対象書類名】明細書
【補正対象項目名】００１８
【補正方法】変更
【補正の内容】
【００１８】
また、本発明は、ノズルからインクを吐出するのに利用される熱エネルギをインクに作用するための発熱部を有する基板と、前記ノズルに対応して設けられ、前記発熱部による熱エネルギの作用に伴う前記インクの発泡に応じて変位可能な可動弁を有する弁保持部材とを具えたインクジェット記録ヘッドの製造方法において、
前記基板に設けられた台座に、貫通穴を有する前記弁保持部材を配置する工程と、
前記弁保持部材の上面から前記穴を通って前記台座に連結する接着部を形成することで前記基板に前記弁保持部材を固定する工程と、
を具え、
前記弁保持部材はフォトリソグラフィプロセスを適用して前記基板に固定され、
前記接着部の各々は前記複数の穴のいくつかを通って形成されていることを特徴とする。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
液滴を吐出させるためのエネルギを発生する吐出エネルギ発生素子が千鳥配置された素子基板と、
千鳥配置された各吐出エネルギ発生素子に対向配置された吐出口と、吐出エネルギ発生素子を内包する吐出エネルギ発生室と、吐出口と吐出エネルギ発生室を連通する吐出口部と、吐出エネルギ発生室にインクを供給する供給路とからなるノズルで、供給路が長い長ノズルと当該長ノズルより供給路が短い短ノズルとを交互に配置する流路構成部材と、
を備えたインクジェット記録ヘッドにおいて、
長ノズルの供給路の平均高さが、短ノズルの供給路の平均高さよりも高いことを特徴とするインクジェット記録ヘッド。
【請求項２】
前記長ノズルの供給路の少なくとも一部の高さが前記短ノズルの供給路よりも高くなっていることを特徴とする請求項１に記載のインクジェット記録ヘッド。
【請求項３】
前記長ノズルの供給路の一部が前記短ノズルの供給路よりも高くなっていて、且つ、前記長ノズルの供給路が高くなっていない部分と前記短ノズルの供給路の高さが同じ高さになっていることを特徴とする請求項２に記載のインクジェット記録ヘッド。
【請求項４】
前記長ノズルの供給路高さが少なくとも前記短ノズルの発泡室に隣接する部分において、当該長ノズルの他の部分より高くなっており、当該長ノズルの供給路が高い部分に対応する前記流路構成部材の厚みが、前記短ノズルの前記吐出口における前記流路構成部材の厚みと略同じか、もしくは該厚みよりも薄くなっていることを特徴とする請求項１から３のいずれかに記載のインクジェット記録ヘッド。
【請求項５】
前記長ノズルの供給路高さが前記短ノズルの供給路よりも高くなっている部分の前記流路構成部材が供給路の高さ方向に削除されていることを特徴とする請求項１から４のいずれかに記載のインクジェット記録ヘッド。
【請求項６】
前記長ノズルの供給路の、前記短ノズルの供給路よりも高くなっている部分が前記吐出口部と連結している請求項１から５のいずれかに記載のインクジェット記録ヘッド。
【請求項７】
前記素子基板と前記流路構成部材と間に設けられた密着向上層をさらに備えた請求項１から６のいずれかに記載のインクジェット記録ヘッド。
【請求項８】
前記密着向上層が、少なくとも前記長ノズルの供給方向に対して直交する方向の幅が最も狭い最狭部においては除去されていることを特徴とする請求項７に記載のインクジェット記録ヘッド。
【請求項９】
前記長ノズルの供給路の全体に対応する部分の前記密着向上層が除去されていることを特徴とする請求項７に記載のインクジェット記録ヘッド。
【請求項１０】
液滴を吐出させるためのエネルギを発生する吐出エネルギ発生素子が千鳥配置された素子基板と、
千鳥配置された各吐出エネルギ発生素子に対向配置された吐出口と、吐出エネルギ発生素子を内包する吐出エネルギ発生室と、吐出口と吐出エネルギ発生室を連通する吐出口部と、吐出エネルギ発生室にインクを供給する供給路とからなるノズルで、供給路が長い長ノズルと当該長ノズルより供給路が短い短ノズルとを交互に配置する流路構成部材と、
前記素子基板と前記流路構成部材との間に設けられた密着向上層と、
を備えたインクジェット記録ヘッドにおいて、
前記短ノズルの供給路には前記密着向上層が形成され、前記長ノズルの供給路の一部には前記密着向上層が形成されず、前記長ノズルの供給路の平均高さが、短ノズルの供給路の平均高さよりも高いことを特徴とするインクジェット記録ヘッド。
【手続補正書】
【提出日】平成21年2月20日(2009.2.20)
【手続補正１】
【補正対象書類名】明細書
【補正対象項目名】０００３
【補正方法】変更
【補正の内容】
【０００３】
このような装置では製本など仕上がったシート束を収納する際に、例えば特許文献１に開示されているように、１つ若しくは複数のスタッカトレイを上下昇降自在に配置し、このトレイに順次シート束を積み重ねて収納している。そしてトレイの昇降位置制御は、排紙口近傍のトレイ上方に配置したセンサ手段で最上段に位置するシートの高さ位置を検出し、この位置からトレイを降下させている。このトレイを所定量降下させた状態でその最上シートの上に排紙口から後続するシート束を搬出して収納している。そして上記トレイの降下量は装置仕様からシート束の最大厚さに若干の余裕（マージン）を設けている。従ってシート束の厚さが数枚のときと数十枚のときでは排紙口からの落下量がその都度異なることなり、シート束の搬出には種々の配慮がなされている。つまり排紙口から勢いよく（高速で）搬出するとトレイ上に積載されているシートが荷崩れを起こす恐れがあり、また、トレイ上への積載量を大容量にすると同様の荷崩れを起こす恐れがある。
【特許文献１】特開平８−１６９６２７号公報
【手続補正書】
【提出日】平成20年12月23日(2008.12.23)
【手続補正１】
【補正対象書類名】明細書
【補正対象項目名】特許請求の範囲
【補正方法】変更
【補正の内容】
【特許請求の範囲】
【請求項１】  発射モータカムの連続回転により、槌が弾発回動して球を発射させる発射装置と、
該発射装置の槌の回動に連動し、発射直後の発射レールに球を１個ずつ供給するための球供給装置とを備えた遊技機であって、
前記発射モータカムが、球供給準備開始位置から発射位置の間に位置している状態において発射装置を停止させて、該発射モータカムの逆転により、球供給装置から無用球が発射レールに供給されることを防止するために、前記発射モータカムが逆転することを防止する逆転防止部材の逆転防止爪を、前記発射モータカムの側に取付けられたラチェット状の歯車に係合させた構成であることを特徴とする遊技機。
【請求項２】  前記逆転防止部材は、発射モータを取付けるためのベース板に設けられた複数のねじ孔の一つに回動可能に支持されていることを特徴とする請求項１に記載の遊技機。
【請求項３】  前記発射モータカムの側に取付けられたラチェット状の歯車には、その一部のみに歯部が形成されていることを特徴とする請求項１又は２に記載の遊技機。
【請求項４】  前記逆転防止部材の全体形状は、ラチェット状の前記歯車の周囲を囲む形状であることを特徴とする請求項１ないし３のいずれかに記載の遊技機。
【請求項５】  前記逆転防止部材は、その自重によりラチェット状の前記歯車に押し当てられる構成になっていることを特徴とする請求項１ないし４のいずれかに記載の遊技機。
【請求項６】  前記逆転防止部材は、発射モータカム側の歯車との係合を解除する解除操作部を備えていることを特徴とする請求項１ないし５のいずれかに記載の遊技機。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
転写材に転写されるトナー像を担持する像担持体としての、導電性支持体及び該導電性支持体上に形成された感光層を有する電子写真感光体と、該トナー像が該転写材に転写された後の該電子写真感光体の表面の付着物を該電子写真感光体の表面から除去するクリーニング手段とを有する電子写真装置であって、
該電子写真感光体の表面層は、二つ以上の連鎖重合性官能基を有する化合物を電子線の照射により硬化させることによって形成された層であり、該トナー像を形成するトナーとして、炭化水素系ワックスを含有するトナーが用いられる電子写真装置において、
該クリーニング手段は、該電子写真感光体の表面を摺擦するブラシ部材と、該ブラシ部材によって摺擦された該電子写真感光体の表面に当接するクリーニング部材とを有し、
該ブラシ部材は、繊維の太さが４〜３０Ｄ／Ｆ（デニール／フィラメント）であって、ブラシ密度が１万〜４０万本／平方インチであることを特徴とする電子写真装置。
【請求項２】
前記クリーニング部材が弾性を有するゴムブレードであり、該ゴムブレードが前記電子写真感光体に接触して設けられている請求項１に記載の電子写真装置。 
【請求項３】
前記ブラシ部材が、固有抵抗率が１０３〜１０８Ω・ｃｍの導電性繊維で形成されている請求項１又は２に記載の電子写真装置。